(57)【要約】【課題】自動販売機のリニュアル時に回路基板の水密構造を維持しながらケースおよびレンズだけを交換できるようにし、リニュアルコストを低減するとともにフラットな前面パネルにより近づけることができる自動販売機用押釦スイッチを提供する。【解決手段】前面パネル１４の裏面にシリコンカバー９，回路基板５，ベース１より構成されるスイッチ部を有し、前面パネル１４の表面にケース１２，レンズ１１より構成されるケース部を配置した構成。【選択図】　　図２
2004047467.tif 000002
【特許請求の範囲】
【請求項１】
自動販売機の前面パネルの前側に位置するケースと、
前記ケースから露出するように前記ケースに形成された挿入孔に位置する挿入部と前記前面パネルに形成されたレンズ孔に位置するとともに前記挿入孔よりも外形が大なる係合部とを有し、スイッチ操作により動作するレンズと、
前記前面パネルの裏側に位置して前記スイッチ操作に基づいてオンされるスイッチを有する回路基板とを備えたことを特徴とする自動販売機用押釦スイッチ。
【発明の詳細な説明】
【０００１】
【発明の属する技術分野】
本発明は自動販売機用押釦スイッチに関し、特に、自動販売機のリニュアル時に回路基板の水密構造を維持しながらケースおよびレンズだけを交換できるようにしてリニュアルコストを低減した自動販売機用押釦スイッチに関する。
【０００２】
【従来の技術】
図９および図１０は、従来の自動販売機用押釦スイッチの部分断面構造を示し、図９は上部断面図、図１０は図９のＡ−Ａ線断面図である。この自動販売機用押釦スイッチは、押釦スイッチを複数有した連動スイッチと呼ばれるスイッチユニットであり、自動販売機の前面パネル（図示せず）の挿入孔（図示せず）に挿入部（図示せず）を通され、パッキンで自動販売機内に侵水が生じないようにして前面パネルの裏面からベース１にねじを通して固定されている。購入者が所定のコインを自動販売機に投入すると、回路素子６等と一緒に回路基板５上に搭載されたＬＥＤ７ａ（販売可）が点灯する。一方、販売商品が売り切れになると、回路基板５上に搭載されたＬＥＤ７ｂ（売切れ）が点灯する。ＬＥＤ７ａあるいは７ｂの光はリフレクトケース８の光通過孔８ｂを通り、リフレクト面８ａで反射されながらシリコンカバー９，ネームプレート１０，レンズ１１を通って外部へ放射される。ネームプレート１０はＬＥＤ７ａ，７ｂに対応する位置に光を透過する表示パターン（販売可および売切れ）を有する。ＬＥＤ７ａが点灯して販売可のとき、購入者はレンズ１１を押すと、シリコンカバー９が圧縮されて変形し、スイッチ９ａが回路基板５のスイッチ（図示せず）をオンして販売商品が販売口へ搬出される。レンズ１１はケース１２の開口から露出し、ケース１２の係合部１２ａと係合部１１ａが係合することによって抜けないようにされており、ケース１２は超音波による溶着によりベース１に固定されている。また、回路基板５はシリコンカバー９によって外部の雨滴等から水密的に保護されている。コネクタ３は自動販売機内部の制御部（マイコンチップ）に接続されており、外周に挿通部４が設けられ、パッキン２で水密化されている。
【０００３】
【発明が解決しようとする課題】
しかし、従来の自動販売機用押釦スイッチによると、自動販売機をリニュアルするとき、レンズおよびケースが汚れていれば、新しい自動販売機用押釦スイッチに交換しているため、リニュアルコストが増大していた。また、スイッチ全体が前面パネルの表面に出ているため、前面パネルのフラット化の要望に応えることができない。
従って、本発明の目的は自動販売機のリニュアル時に回路基板の水密構造を維持しながらケースおよびレンズだけを交換できるようにし、リニュアルコストを低減するとともにフラットな前面パネルにより近づけることができる自動販売機用押釦スイッチを提供することにある。
【０００４】
【課題を解決するための手段】
本発明は、上記目的を達成するため、自動販売機の前面パネルの前側に位置するケースと、前記ケースから露出するように前記ケースに形成された挿入孔に位置する挿入部と前記前面パネルに形成されたレンズ孔に位置するとともに前記挿入孔よりも外形が大なる係合部とを有し、スイッチ操作により動作するレンズと、前記前面パネルの裏側に位置して前記スイッチ操作に基づいてオンされるスイッチを有する回路基板とを備えたことを特徴とする自動販売機用押釦スイッチを提供する。
【０００５】
また、本発明は、上記目的を達成するため、スイッチ操作によってオン、オフするスイッチと、スイッチのオン、オフによって点灯する発光素子を搭載した回路基板を細長いベース上に取り付け、スイッチ操作によって変形する透光性弾性カバーで前記回路基板を前記ベース上で水密的に包囲したスイッチ部と、レンズで前記透光性弾性カバーに前記スイッチ操作に基づく押圧力を伝え、ケースの開口部から前記レンズの一部を表面に露出しながら前記ケースによって前記レンズを前記透光性弾性カバーとの間で保持したケース部を備え、商品展示室を形成する前面パネルの裏面に前記スイッチ部を配置し、前記前面パネルの表面に前記ケース部を配置し、前記スイッチ部と前記ケース部をねじ等の固定手段によって一体化し、前記固定手段による固定を解くことによって前記ケース部の前記ケースおよび前記レンズを取り外せるようにした自動販売機用押釦スイッチを提供する。
前記透光性弾性カバーは、前記発光素子と前記レンズの間にあって導光手段として機能する構成であることが好ましい。
【０００６】
【発明の実施の形態】
図１（ａ）、（ｂ）は、本発明の第１の実施の形態を示し、商品の展示室を形成する前面パネル１４の表面にケース１２とレンズ１１よりなるケース部が位置し、前面パネル１４の裏面に挿通部４およびコネクタ３を有するベース（図示せず）を覆っているカバー抑止部材１３のみが外部に表れているスイッチ部が位置し、前面パネル１４の両面でねじ１５によってケース部とスイッチ部が一体になって板金１５に取り付けられている。
【０００７】
図２は、スイッチ部とケース部の内部構造を示し、板金１９上にベース１が位置し、ベース１上にＬＥＤ７ａ，７ｂ，回路素子６，スイッチ（図示せず）等を有する回路基板５が位置し、回路基板５をベース１上で水密的に覆う透光性シリコンカバー９が端部でベース１１に係合している。シリコンカバー９は導電ゴムのスイッチ９ａを有し、所定のマークの透光部を有したネームプレート１０を介してレンズ１１に内接している。シリコンカバー９は内側に空間を有し、リフレクト面８ａと、光通過孔８ｂを有したリフレクトケース８によって内接されている。シリコンカバー９の端部はカバー抑止部材１３によって抑止されている。カバー抑止部材１３は前面パネル１４との間にパッキン２を有する。以上述べた各部品によってスイッチ部が構成され、シリコンカバー９，リフレクトケース８の一部が表面に出ているのを除くと前面パネル１４の裏面に位置している。
【０００８】
一方、ケース部は前面パネル１４の表面に位置し、ケース１２とレンズ１１より構成されている。レンズ１１は、係合部１１ａによってケース１２の挿入孔のエッジに係合し、挿入部１１ｂが挿入孔に位置している。レンズ１１とシリコンカバー９の間にネームプレート１０が挟持されている。ケース１２は内部にネジ孔を有するボス１６を有し、前面パネル１４はレンズ孔１４ａ，ボス孔１４ｂを有し、ベース１はねじ孔１７を有する。ケース１２のボス１６の周囲と前面パネル１４の間にはボスパッキン２０が設けられ、ケース１２の上半分と前面パネル１４の間にはケースパッキン１８が設けられている。ケース１２，カバー抑止部材１３，ベース１はねじ１５によって板金１９に取り付けられ、挿通部４およびコネクタ３は板金１９の内側へ突出している。
【０００９】
図３は、図２のＡ−Ａ断面を示し、同一部材は同一の引用数字で示したので、重複する説明は省略するが、ケース用パッキン１８はケース１２の上半分に設けられ、下半分に設けられていないので、たとえ内部に水分が侵入しても下部から抜け出て内部に溜まらない。
【００１０】
図４は、図２のＢ−Ｂ断面を示し、図５は図２のＣ−Ｃ断面を示す。何れも同一部材は同一の引用数字で示したので重複する説明は省略するが、ケース用パッキン１８はケース１２の上半分にのみ設けられている。
【００１１】
図６は、ケース１２がねじ１５を取り外すことによって取り外すことができることを示し、ケース１２を取り外すとレンズ１１も取り外すことができる。従って、ケース１２とレンズ１１が汚れたとき、それだけを新しいものに交換することができる。一方、ケース１２とレンズ１１の片方だけを交換しても良い。
【００１２】
以上の実施の形態から明らかなように、スイッチ部が前面パネル１４の裏面にあってケース部のみが前面パネル１４の表面に出ているので、前面パネル１４のフラット化に近づくことができる。
【００１３】
図７，図８は、本発明の第２の実施の形態を示し、第１の実施の形態と同一の部材には同一の引用数字を示したので重複する説明は省略するが、シリコンカバー９は凹面型の受光部９Ａ，９Ｂを有し、ＬＥＤ７ａ，７ｂの光をレンズ１１まで導光する。従って、リフレクトケース８が不要になる。
【００１４】
【発明の効果】
以上説明した通り、本発明の自動販売機用押釦スイッチによると、スイッチ部を前面パネルの裏面に位置させ、ケース部のみを前面パネルの表面に位置させたので、前面パネルのフラット化に近づくことができるとともにケースおよびレンズの交換を簡単に行うことができる。
【図面の簡単な説明】
【図１】本発明の第１の実施の形態に係る自動販売機用押釦スイッチを示し、（ａ）は正面図、（ｂ）は側面図
【図２】第１の実施の形態を示す断面図
【図３】図２のＡ−Ａ断面図
【図４】図２のＢ−Ｂ断面図
【図５】図２のＣ−Ｃ断面図
【図６】図２でケースを取り外したＢ−Ｂ断面図
【図７】本発明の第２の実施の形態に係る自動販売機用押釦スイッチを示す断面図
【図８】図７のＡ−Ａ断面図
【図９】従来の自動販売機用押釦スイッチの部分断面構造を示す上部断面図
【図１０】図９のＡ−Ａ断面図
【符号の説明】
１，ベース
２，パッキン
３，コネクタ
４，挿通部
５，回路基板
６，回路素子
７ａ，７ｂ，ＬＥＤ
８，リフレクトケース
８ａ，リフレクト面
８ｂ，光通過孔
９，シリコンカバー
９ａ，スイッチ
１０，ネームプレート
１１，レンズ
１１ａ，係合部
１１ｂ，挿入部
１３，カバー抑止部材
１４，前面パネル
１４ａ，レンズ孔
１４ｂ，ボス孔
１５，ねじ
１６，ボス
１７，ねじ孔
１８，パッキン
【図１】
2004047467.tif 000003
【図２】
2004047467.tif 000004
【図３】
2004047467.tif 000005
【図４】
2004047467.tif 000006
【図５】
2004047467.tif 000007
【図６】
2004047467.tif 000008
【図７】
2004047467.tif 000009
【図８】
2004047467.tif 000010
【図９】
2004047467.tif 000011
【図１０】
2004047467.tif 000012